(57)【特許請求の範囲】
【請求項１】
構造物に設けられた軒樋と、前記構造物の柱に固定された竪樋と、前記軒樋と前記竪樋とを接続する接続部材と、を有する雨樋構造において、
前記竪樋は、前記軒樋の排水口の鉛直方向の下側に間隔をあけて設けられているとともに、前記柱と同じ幅寸法に形成されて該柱の前側に重なるように配置されていて、
前記接続部材は、前記軒樋と前記竪樋との間を覆い前記軒樋と前記竪樋との間に着脱可能なカバー部材を有し、
前記カバー部材は、上方から見た形状がＣ字形で、前記軒樋と前記竪樋との間の前側および両側方を覆う形状に形成されていることを特徴とする雨樋構造。
【請求項２】
構造物に設けられた軒樋と、前記構造物の柱に固定された竪樋と、前記軒樋と前記竪樋とを接続する接続部材と、を有する雨樋構造において、
前記竪樋は、前記軒樋の排水口の鉛直方向の下側に間隔をあけて設けられているとともに、前記柱と同じ幅寸法に形成されて該柱に重なるように配置されていて、
前記接続部材は、前記軒樋と前記竪樋との間を覆い前記軒樋と前記竪樋との間に着脱可能なカバー部材を有し、
前記接続部材は、前記カバー部材が着脱可能でかつ前記構造物に固定されたベース部材を有することを特徴とする雨樋構造。
【請求項３】
構造物に設けられた軒樋と、前記構造物の柱に固定された竪樋と、前記軒樋と前記竪樋とを接続する接続部材と、を有する雨樋構造において、
前記竪樋は、前記軒樋の排水口の鉛直方向の下側に間隔をあけて設けられているとともに、前記柱と同じ幅寸法に形成されて該柱に重なるように配置されていて、
前記接続部材は、前記軒樋と前記竪樋との間を覆い前記軒樋と前記竪樋との間に着脱可能なカバー部材を有し、
前記カバー部材には、軒樋の雨水を竪樋の軸中心へガイドする水返し部が形成されていることを特徴とする雨樋構造。
【請求項４】
構造物に設けられた軒樋と、前記構造物の柱に固定された竪樋と、前記軒樋と前記竪樋とを接続する接続部材と、を有する雨樋構造において、
前記竪樋は、前記軒樋の排水口の鉛直方向の下側に間隔をあけて設けられているとともに、前記柱と同じ幅寸法に形成されて該柱に重なるように配置されていて、
前記接続部材は、前記軒樋と前記竪樋との間を覆い前記軒樋と前記竪樋との間に着脱可能なカバー部材を有し、
前記軒樋は、前記構造物に設けられた前枠に一体に形成され、
該前枠の前面の下端部、前記柱の前面および前記竪樋の上端部に囲まれた凹部が形成されていて、
前記カバー部材は、前記凹部に嵌合可能な凸部を形成するための凸部形成部を有し、
該凸部形成部には、前記前枠、前記柱および前記竪樋のそれぞれ形状によって異なる形状となる前記凹部に嵌合可能な凸部を形成可能な切り取り線が示されていることを特徴とする雨樋構造。
【発明の詳細な説明】
【技術分野】
【０００１】
本発明は、雨樋構造に関する。
【背景技術】
【０００２】
一般的に、竪樋は柱に固定されていることが多いため、軒樋の排水口の位置と柱との位置がずれていると、軒樋と竪樋とは、横樋（呼び樋）やエルボを介して接続される。（例えば、特許文献１参照）。
また、軒樋には、たまったゴミをとるために、ゴミ取り用の開口が形成され、この開口を塞ぐキャップが設けられている。
【先行技術文献】
【特許文献】
【０００３】
【特許文献１】特開２００８‐５７２１５号公報
【発明の概要】
【発明が解決しようとする課題】
【０００４】
竪樋を柱の前面に取り付けると、意匠性を損ねることがある。また、軒樋のゴミ取り用の開口に設けられたキャップは軒樋から突出しているため、意匠性を損ねることがある。
また、軒樋と竪樋との間に横樋やエルボを設けると部品が多くなり、施工に手間がかかるという問題があった。
【０００５】
そこで、本発明は、意匠性を向上することができるとともに施工を容易に行うことができる雨樋構造を提供することを目的とする。
【課題を解決するための手段】
【０００６】
上記目的を達成するため、本発明に係る雨樋構造は、構造物に設けられた軒樋と、前記構造物の柱に固定された竪樋と、前記軒樋と前記竪樋とを接続する接続部材と、を有する雨樋構造において、前記竪樋は、前記軒樋の排水口の鉛直方向の下側に間隔をあけて設けられているとともに、前記柱と同じ幅寸法に形成されて該柱の前側に重なるように配置されていて、前記接続部材は、前記軒樋と前記竪樋との間を覆い前記軒樋と前記竪樋との間に着脱可能なカバー部材を有し、前記カバー部材は、上方から見た形状がＣ字形で、前記軒樋と前記竪樋との間の前側および両側方を覆う形状に形成されていることを特徴とする。
【０００７】
本発明では、竪樋は、前記軒樋の排水口の鉛直方向の下側に設けられていることにより、軒樋と竪樋との間に横樋やエルボを設置する必要がないため、意匠性を向上することができる。また、軒樋と竪樋との間の部品が少なくなるため、施工を容易に行うことができる。
また、柱と同じ幅寸法の竪樋が柱と重なるように配置されるため、竪樋と柱とが一体化されて意匠性を向上することができる。
更に、接続部材は、軒樋と竪樋との間に着脱可能なカバー部材を有することにより、仮に軒樋と竪樋との間にゴミが詰まった場合には、カバー部材を外せばこのゴミを容易に取り除くことができる。これにより、従来のような雨樋から突出するゴミ取り用の開口を開閉するキャップを設置しなくてもよいため意匠性を向上することができる。
【０００８】
また、本発明に係る雨樋構造は、構造物に設けられた軒樋と、前記構造物の柱に固定された竪樋と、前記軒樋と前記竪樋とを接続する接続部材と、を有する雨樋構造において、前記竪樋は、前記軒樋の排水口の鉛直方向の下側に間隔をあけて設けられているとともに、前記柱と同じ幅寸法に形成されて該柱に重なるように配置されていて、前記接続部材は、前記軒樋と前記竪樋との間を覆い前記軒樋と前記竪樋との間に着脱可能なカバー部材を有し、前記接続部材は、前記カバー部材が着脱可能でかつ前記構造物に固定されたベース部材を有することを特徴とする。
本発明では、竪樋は、前記軒樋の排水口の鉛直方向の下側に設けられていることにより、軒樋と竪樋との間に横樋やエルボを設置する必要がないため、意匠性を向上することができる。また、軒樋と竪樋との間の部品が少なくなるため、施工を容易に行うことができる。
また、柱と同じ幅寸法の竪樋が柱と重なるように配置されるため、竪樋と柱とが一体化されて意匠性を向上することができる。
更に、接続部材は、軒樋と竪樋との間に着脱可能なカバー部材を有することにより、仮に軒樋と竪樋との間にゴミが詰まった場合には、カバー部材を外せばこのゴミを容易に取り除くことができる。これにより、従来のような雨樋から突出するゴミ取り用の開口を開閉するキャップを設置しなくてもよいため意匠性を向上することができる。
接続部材は、カバー部材が着脱可能でかつ構造物に固定されたベース部材を有することにより、カバー部材をベース部材に対して容易に着脱することができる。また、カバー部材がベース部材を介して構造物に取り付けられるため、雨水がカバー部材とベース部材との間を通り、構造物に直接あたることがないため、竪樋と柱との間に雨水が入り込むことを防止できる。
【０００９】
また、本発明に係る雨樋構造は、構造物に設けられた軒樋と、前記構造物の柱に固定された竪樋と、前記軒樋と前記竪樋とを接続する接続部材と、を有する雨樋構造において、前記竪樋は、前記軒樋の排水口の鉛直方向の下側に間隔をあけて設けられているとともに、前記柱と同じ幅寸法に形成されて該柱に重なるように配置されていて、前記接続部材は、前記軒樋と前記竪樋との間を覆い前記軒樋と前記竪樋との間に着脱可能なカバー部材を有し、前記カバー部材には、軒樋の雨水を竪樋の軸中心へガイドする水返し部が形成されていることを特徴とする。
本発明では、竪樋は、前記軒樋の排水口の鉛直方向の下側に設けられていることにより、軒樋と竪樋との間に横樋やエルボを設置する必要がないため、意匠性を向上することができる。また、軒樋と竪樋との間の部品が少なくなるため、施工を容易に行うことができる。
また、柱と同じ幅寸法の竪樋が柱と重なるように配置されるため、竪樋と柱とが一体化されて意匠性を向上することができる。
更に、接続部材は、軒樋と竪樋との間に着脱可能なカバー部材を有することにより、仮に軒樋と竪樋との間にゴミが詰まった場合には、カバー部材を外せばこのゴミを容易に取り除くことができる。これにより、従来のような雨樋から突出するゴミ取り用の開口を開閉するキャップを設置しなくてもよいため意匠性を向上することができる。
カバー部材には、軒樋の雨水を竪樋の軸中心へガイドする水返し部が形成されていることにより、雨水が竪樋と柱との間に入り込むことを防止できる。
【００１０】
また、本発明に係る雨樋構造は、構造物に設けられた軒樋と、前記構造物の柱に固定された竪樋と、前記軒樋と前記竪樋とを接続する接続部材と、を有する雨樋構造において、前記竪樋は、前記軒樋の排水口の鉛直方向の下側に間隔をあけて設けられているとともに、前記柱と同じ幅寸法に形成されて該柱に重なるように配置されていて、前記接続部材は、前記軒樋と前記竪樋との間を覆い前記軒樋と前記竪樋との間に着脱可能なカバー部材を有し、前記軒樋は、前記構造物に設けられた前枠に一体に形成され、該前枠の前面の下端部、前記柱の前面および前記竪樋の上端部に囲まれた凹部が形成されていて、前記カバー部材は、前記凹部に嵌合可能な凸部を形成するための凸部形成部を有し、該凸部形成部には、前記前枠、前記柱および前記竪樋のそれぞれ形状によって異なる形状となる前記凹部に嵌合可能な凸部を形成可能な切り取り線が示されていることを特徴とする。
本発明では、竪樋は、前記軒樋の排水口の鉛直方向の下側に設けられていることにより、軒樋と竪樋との間に横樋やエルボを設置する必要がないため、意匠性を向上することができる。また、軒樋と竪樋との間の部品が少なくなるため、施工を容易に行うことができる。
また、柱と同じ幅寸法の竪樋が柱と重なるように配置されるため、竪樋と柱とが一体化されて意匠性を向上することができる。
更に、接続部材は、軒樋と竪樋との間に着脱可能なカバー部材を有することにより、仮に軒樋と竪樋との間にゴミが詰まった場合には、カバー部材を外せばこのゴミを容易に取り除くことができる。これにより、従来のような雨樋から突出するゴミ取り用の開口を開閉するキャップを設置しなくてもよいため意匠性を向上することができる。
軒樋は、構造物に設けられた前枠に一体に形成され、前枠の前面の下端部、柱の前面および竪樋の上端部に囲まれた凹部が形成されていて、カバー部材は、凹部に嵌合可能な凸部を形成するための凸部形成部を有し、凸部形成部には、前枠、柱および竪樋のそれぞれ形状によって異なる形状となる凹部に嵌合可能な凸部を形成可能な切り取り線が示されていることにより、各部材のそれぞれの形状によって凹部の形状が異なる場合でも、同一のカバー部材を使用して凹部の形状に合わせた凸部を容易に形成することができる。
【発明の効果】
【００１１】
本発明によれば、意匠性を向上することができるとともに施工を容易に行うことができる。
【図面の簡単な説明】
【００１２】
【図１】本発明の実施形態による雨樋構造の一例を示す斜視図である。
【図２】図１の分解斜視図である。
【図３】図１のＡ−Ａ断面の前枠を示す図である。
【図４】図１のＢ−Ｂ断面図である。
【図５】ベース部材とカバー部材とを上方から見た図である。
【図６】ベース部材と竪樋とを説明する斜視図である。
【図７】ベース部材の斜視図である。
【図８】カバー部材の斜視図である。
【発明を実施するための形態】
【００１３】
以下、本発明の実施形態による雨樋構造について、図１乃至図８に基づいて説明する。
図１および図２に示すように、本実施形態による雨樋構造１は、テラス（構造物、図１参照）１１の屋根（図１参照）１２の雨水を排水するため設けられていて、屋根１２と接続された前枠２に一体に形成された軒樋３と、テラス１１の柱１３に固定された竪樋４と、軒樋３と竪樋４とを接続する接続部材５と、を有している。
前枠２は、屋根１２の軒先に沿って略水平方向に延在していて、一対の柱１３，１３の上端部１３ｂ，１３ｂ間を架け渡すように設けられている。
ここで、前枠２の延在方向を幅方向とし、この幅方向に直交する水平方向を前後方向とする。また、前後方向の前枠２に対する屋根１２側を後側とし、屋根１２側に対する前枠２側を前側とする。また、以下の説明における各部材の向きは、各部材がテラス１１に設置された際の向きとしている。
【００１４】
図２および図３に示すように、軒樋３は、幅方向に延在し幅方向に直交する断面形状が上側に開口する略Ｃ字状に形成されている。軒樋３は、前枠２の前側かつ上側に形成されている。
軒樋３には、柱１３と幅方向に重なる位置に雨水が排水される排水口３１（図２参照）が設けられている。排水口３１の下側には、軒樋３を流れてきた水を竪樋４へスムーズに流すためのアタッチメント３２が設けられている。
前枠２の軒樋３よりも後側の部分で屋根１２（図１参照）の前端部を覆う部分を枠部２１とすると、枠部２１は幅方向に延在する筒状に形成されている。前枠２の幅方向の両端部には、枠部２１および軒樋３の幅方向の両端部を塞ぐ前枠カバー材２２（図１および図２参照）が設けられている。
枠部２１の前面の上側は、軒樋３と一体化しており、下側は板面が前後方向を向く平面状に形成されている。ここで、枠部２１の前面の下側を枠部２１の前面２１ａとする。
前枠２は、枠部２１の前面２１ａが柱１３の前面１３ａよりもやや前側に配置される。
【００１５】
図２および図３に示すように、竪樋４は、軒樋３の排水口３１（図２参照）の直下に間隔をあけて設けられていて、上端部４ａが柱１３の上端部１３ｂより下側に配置されている。このため、本実施形態では、図３に示すように、枠部２１の前面２１ａの下端部２１ｂ、柱１３の前面１３ａおよび竪樋４の上端部４ａに囲まれた凹部６が形成されている。
竪樋４は、柱１３に固定される第１樋部材４１と、第１樋部材４１に係止される第２樋部材４２と、を有している。
【００１６】
図４に示すように、第１樋部材４１は、上下方向に延在し、水平断面が前方に開口する略Ｃ字状に形成されている。第１樋部材４１は、板面が前後方向を向き柱１３の前面１３ａに固定される固定板部４１１と、固定板部４１１の幅方向の両端部から略前側に延びる一対の第１側板部４１２，４１２と、を有している。
【００１７】
固定板部４１１は、後面の幅方向の両端部近傍および中間部に後方に突出する４つの突条４１１ａ，４１１ａ…が上下方向全体にわたって形成されている。固定板部４１１は、４つの突条４１１ａ，４１１ａ…の先端部がそれぞれ柱１３の前面１３ａと当接した状態でビスなどの固定具（不図示）で柱１３に固定されている。
【００１８】
一対の第１側板部４１２，４１２は、それぞれ固定板部４１１と接続されている後端部近傍が幅方向の外側（一対の第１側板部４１２，４１２が互いに離間する側）に突出するように屈曲されており、後端部よりも前側に２つの屈曲部４１２ａ，４１２ｂが前後方向に間隔をあけて形成されている。これらの２つの屈曲部４１２ａ，４１２ｂのうちの後側を第１屈曲部４１２ａとし、前側を第２屈曲部４１２ｂとする。
一対の第１側板部４１２，４１２は、水平断面において後端部から第１屈曲部４１２ａに向かって漸次幅方向の外側に延び、第１屈曲部４１２ａから第２屈曲部４１２ｂに向かって漸次幅方向の内側（一対の第１側板部４１２，４１２が互いに近接する側）に延び、第２屈曲部４１２ｂよりも前側は、前後方向の前側に延びて一対の第１側板部４１２，４１２が平行となるように形成されている。
【００１９】
一対の第１側板部４１２，４１２のそれぞれの第１屈曲部４１２ａ，４１２ａには、後方に突出する第１突出片４１３，４１３が上下方向全体にわたって形成されている。また、一対の第１側板部４１２，４１２には、前端部にそれぞれ幅方向内側に突出する第２突出片４１４，４１４が上下方向全体にわたって形成されている。
第１樋部材４１の幅寸法は、柱１３の幅寸法よりも小さく形成されている。
【００２０】
第２樋部材４２は、上下方向に延在し、水平断面が後方に開口する略Ｃ字状に形成されている。第２樋部材４２は、板面が前後方向を向き第１樋部材４１の前側に配置される前板部４２１と、前板部４２１の幅方向の両端部に連続し後側に延びる一対の第２側板部４２２，４２２と、を有している。
前板部４２１は、後面の幅方向の両端部近傍それぞれに後方に突出する２つの突条４２１ａ，４２１ａが上下方向全体にわたって形成されている。前板部４２１は、幅寸法が柱１３の幅寸法と略同じ寸法に形成されている。
【００２１】
一対の第２側板部４２２，４２２は、それぞれの後端部に幅方向の内側に突出する突出片４２３，４２３が上下方向全体にわたって形成され、突出片４２３，４２３の先端部には、それぞれ前側に突出する爪部４２４，４２４が上下方向全体にわたって形成されている。
一対の第２側板部４２２，４２２の内側には、第１樋部材４１の一対の第１側板部４１２，４１２が挿入可能となっている。
【００２２】
このような第２樋部材４２が第１樋部材４１に取り付けられると、一対の第２側板部４２２，４２２の内側に第１樋部材４１の一対の第１側板部４１２，４１２が挿入され、第１樋部材４１の第２突出片４１４の前面と第２樋部材４２の前板部４２１の突条４２１ａ，４２１ａの先端部とが当接し、第１樋部材４１の第１突出片４１３と第２樋部材４２の爪部４２４とが係合する。第２樋部材４２は、第１樋部材４１に取り付けられると、一対の第２側板部４２２，４２２幅方向の外側の面４２２ｂ，４２２ｂがそれぞれ柱１３の側面１３ｃ，１３ｃと略面一に配置される。
【００２３】
第１樋部材４１に第２樋部材４２が取り付けられると、第１樋部材４１と第２樋部材４２とで筒状体を構成し、内部を雨水が流通可能となる。本実施形態では、第１樋部材４１および第２樋部材４２の下端部には、雨水を外部へ排出するエルボ４３（図２参照）が設けられている。
【００２４】
図２に示すように、接続部材５は、軒樋３の排水口３１と竪樋４の上端部４ａとの間に配置されている。接続部材５は、前枠２の枠部２１の前面２１ａに固定されるベース部材５１と、ベース部材５１に着脱可能なカバー部材５２と、を有している。
図５乃至図７に示すように、ベース部材５１は、板面が前後方向を向き枠部２１の前面２１ａに固定される固定板部５１１と、板面が幅方向を向き固定板部５１１の幅方向の両端部から前方に突出する一対のベース側板部５１２，５１２と、固定板部５１１および一対のベース側板部５１２，５１２の下側に設けられて竪樋４の上端部４ａ近傍の内側に挿入される筒状の竪樋挿入部５１３と、竪樋挿入部５１３と固定板部５１１および一対のベース側板部５１２，５１２とを接続するとともに竪樋４の上部に載置される接続板部５１４と、を有している。
【００２５】
固定板部５１１は、枠部２１の前面２１ａと当接し、ビスなどの固定具（不図示）で枠部２１の前面２１ａに固定されている。固定板部５１１は、幅寸法が柱１３の幅寸法よりもやや小さく、高さ寸法が前枠２の軒樋３の下端部３ａ（図３参照）から枠部２１の前面２１ａの下端部２１ｂまでの寸法と略同じ略長方形状に形成されている。
固定板部５１１の下側には、固定板部５１１よりも後方に突出し、枠部２１の前面２１ａの下端部２１ｂ、柱１３の前面１３ａおよび竪樋４の上端部４ａに囲まれた凹部６（図３参照）に嵌合可能なベース凸部５１５が設けられている。ベース凸部５１５の内部５１５ａは、後方に開口する空部となっている。
【００２６】
一対のベース側板部５１２，５１２は、それぞれ後端部５１２ａが固定板部５１１およびベース凸部５１５と連続していて、前端部５１２ｂが下側から上側に向かって漸次前側向かうように斜めに形成されている。一対のベース側板部５１２，５１２には、それぞれの幅方向の外側の面５１２ｃに上下方向に延在する突条５１２ｄ，５１２ｄが前後方向に間隔をあけて２箇所ずつ形成されている。
【００２７】
竪樋挿入部５１３は、水平断面において後側が前側よりも幅寸法が大きい略凸字状の筒状に形成されている。竪樋挿入部５１３は、内周面のうちの後面５１３ａが固定板部５１１の前面５１１ａと前後方向に略同じ位置に配置され、両側面５１３ｂ，５１３ｂがそれぞれベース側板部５１２，５１２よりも幅方向の内側に配置され、前面５１３ｃがベース側板部５１２，５１２の前端部５１２ｂよりも後側に配置されている。
竪樋挿入部５１３は、上端部５１３ｄの高さがベース側板部５１２，５１２の下端部５１２ｅおよびベース凸部５１５の下端部５１５ｂと略同じ高さに配置されている。
【００２８】
接続板部５１４は、板面が上下方向を向き、竪樋挿入部５１３の上端部５１３ｄとベース側板部５１２，５１２の下端部５１２ｅおよびベース凸部５１５の下端部５１５ｂとを接続するとともに、幅方向の両端部５１４ａ，５１４ａがそれぞれ一対のベース側板部５１２，５１２の幅方向の外側に突出している。
接続板部５１４の上面には、一対のベース側板部５１２，５１２それぞれと竪樋挿入部５１３との間に前後方向に延びる段部５１４ｂ，５１４ｂが形成されている。接続板部５１４の上面は、段部５１４ｂのベース側板部５１２側が段部５１４ｂの竪樋挿入部５１３側よりも上側に配置されている。
【００２９】
図５および図８に示すように、カバー部材５２は、ベース部材５１（図５参照）の前側に配置される前板部５２１と、前板部５２１の幅方向の両端部からそれぞれ後方に延びるカバー側板部５２２，５２２と、一対のカバー側板部５２２，５２２のそれぞれの幅方向の内側に間隔をあけて配置された一対の内板部５２３，５２３と、前板部５２１および一対の内板部５２３，５２３の内側に形成された水返し部５２４と、を有している。
前板部５２１は、下側５２１ａの板面が略長方形状で、上側５２１ｂの板面が下側から上側に向かって漸次幅寸法が大きくなる略台形状に形成されている。前板部５２１は、一対のベース側板部５１２，５１２の前端部５１２ｂに沿って、上側から下側に向かって漸次後方となるように斜めに配置されている。  
前板部５２１の下側５２１ａの幅寸法は、竪樋４の第２樋部材４２の前板部４２１の幅寸法と略同じ寸法となるように形成されている。前板部５２１の上側５２１ｂの幅寸法は、下側から上側に向かって漸次大きい寸法に形成されている。
【００３０】
一対のカバー側板部５２２，５２２は、それぞれの下側５２２ａ，５２２ａが前板部５２１の下側５２１ａ連続し、それぞれの上側５２２ｂ，５２２ｂが前板部５２１の上側５２１ｂと連続している。
一対のカバー側板部５２２，５２２の下側５２２ａ，５２２ａは、それぞれ板面が幅方向を向く鉛直面となるように配置されている。一対のカバー側板部５２２，５２２の上側５２２ｂ，５２２ｂは、それぞれ前板部５２１の上側５２１ｂの幅方向の両端部の傾斜に対応し、上側から下側に向かって漸次幅方向の内側となる斜めに配置されている。
このため、前板部５２１および一対のカバー側板部５２２，５２２で囲まれた空間は、下側よりも上側の方が平面視において大きくなるように形成されている。
【００３１】
一対のカバー側板部５２２，５２２の下側５２２ａ，５２２ａには、外側の面にそれぞれ上下方向に延びる溝部５２２ｃ，５２２ｃが前後方向に間隔をあけて２箇所ずつ形成されている。この溝部５２２ｃ，５２２ｃ…は、カバー部材５２がベース部材５１に取り付けられるとそれぞれベース側板部５１２，５１２の突条５１２ｄ，５１２ｄ…対向配置され、突条５１２ｄ，５１２ｄが嵌合する位置に形成されている。
また、一対のカバー側板部５２２，５２２の下側５２２ａ，５２２ａは、カバー部材５２がベース部材５１に取り付けられると一対のベース側板部５１２を外側から挟持するように構成されている。
一対のカバー側板部５２２，５２２は、それぞれ下端部５２２ｄ近傍がその上側よりも後方に突出している。この突出している部分をカバー凸部５２２ｅとすると、カバー凸部５２２ｅは、枠部２１の前面２１ａの下端部２１ｂ、柱１３の前面１３ａおよび竪樋４の上端部４ａに囲まれた凹部６（図３参照）に挿入可能に構成されている。
【００３２】
本実施形態では、一対のカバー側板部５２２，５２２のそれぞれの下側５２２ａの後端部５２２ｆ近傍に、カバー凸部５２２ｅを形成するためのカバー凸部形成部５２５，５２５が設けられている。カバー凸部形成部５２５，５２５は、それぞれカバー側板部５２２の上側５２２ｂよりも後方に突出している。
カバー凸部形成部５２５は、カバー側板部５２２の下側５２２ａの後端部５２２ｆからカバー側板部５２２の上側５２２ｂの後端部５２２ｇの位置まで延びる２つの切り取り線５２５ａ，５２５ｂが上下方向に間隔をあけて示されている。
【００３３】
カバー凸部形成部５２５のいずれかの切り取り線５２５ａ，５２５ｂよりも上側の部分をカッターや手などで切り取ることによって、カバー凸部５２２ｅを形成するように構成されている。このとき、２つの切り取り線５２５ａ，５２５ｂのどちらを選択するかによって、凹部６の形状に合わせた異なる寸法のカバー凸部５２２ｅを形成することができる。本実施形態では、下側の切り取り線５２５ｂで切り取ることで凹部６に挿入可能なカバー凸部５２２ｅを形成している。
なお、カバー凸部形成部５２５は、凹部６の形状に合わせていずれの切り取り線５２５ａ，５２５ｂでも切断しないで使用することも可能である。本実施形態では、カバー凸部形成部５２５は、切り取りやすいように板厚が薄く形成されている。
【００３４】
一対の内板部５２３，５２３は、板面が幅方向を向く鉛直面に形成されている。一対の内板部５２３，５２３は、それぞれ下側５２３ａ，５２３ａが前板部５２１の下側５２１ａ連続し、それぞれの上側５２３ｂ，５２３ｂが前板部５２１の上側５２１ｂと連続している。
一対の内板部５２３，５２３には、後端部５２３ｃかつ下端部５２３ｄ近傍に、後側に突出する内板凸部５２３ｅ，５２３ｅが形成されている。この内板凸部５２３ｅ，５２３ｅは、ベース凸部５１５の内部５１５ａに挿入可能に構成されている。
【００３５】
水返し部５２４は、前板部５２１の後面５２１ｄの下端部および一対の内板部５２３，５２３のそれぞれの内側の面５２３ｆ，５２３ｆの下端部からそれぞれ水平方向に突出する板材で、平面視において後方に開口する略Ｃ字状に形成されている。
水返し部５２４は、ベース部材５１の接続板部５１４の一対の段部５１４ｂ，５１４ｂの内側の前側の上部に載置可能に構成されている。
【００３６】
カバー部材５２が前枠２に固定されたベース部材５１に取り付けられると、一対のカバー側板部５２２，５２２の下側５２２ａ，５２２ａの間隔に一対のベース側板部５１２，５１２の下側が嵌合し、一対のカバー側板部５２２，５２２の下側の溝部５２２ｃ，５２２ｃにベース側板部５１２の突条５１２ｄ，５１２ｄ…が嵌合することでカバー部材５２がベース部材５１に固定される。
【００３７】
このとき、カバー部材５２は、前板部５２１の後面がベース部材５１の一対のベース側板部５１２，５１２の前端部５１２ｂ，５１２ｂと当接し、一対のカバー側板部５２２，５２２の後端部５２２ｇが前枠２の枠部２１の前面２１ａ（図５参照）と当接する。前板部５２１は、上端部５２１ｃが軒樋３の排水口３１よりも前方に配置され、下端部５２１ｅ（図８参照）が第２樋部材４２の前板部４２１の上端部４２１ｂ（図６参照）の上側に連続するように配置される。
カバー部材５２のカバー凸部５２２ｅは凹部６に挿入されて嵌合される。
【００３８】
一対の内板部５２３，５２３は、後端部５２３ｃ，５２３ｃがベース部材５１の固定板部５１１の前面５１１ａと当接し、下端部５２３ｄ（図８参照）が接続板部５１４の段部５１４ｂ（図７参照）と当接している。また、一対の内板部５２３，５２３は、それぞれの内板凸部５２３ｅ，５２３ｅがベース凸部５１５の内部５１５ａに挿入されて嵌合される。
水返し部５２４は、ベース部材５１の接続板部５１４の一対の段部５１４ｂ，５１４ｂの内側の前側の上部に載置され、水返し部５２４の内部が、ベース部材５１の竪樋挿入部５１３の内部と連続している。
【００３９】
このような雨樋構造では、軒樋３の雨水が排水口３１から接続部材５のベース部材５１とカバー部材との間に入り、ベース部材５１の竪樋挿入部５１３を通って竪樋４の内部に入り込むように構成されている。
このとき、接続部材５を通過する雨水は、水返し部５２４にあたり、竪樋挿入部５１３を通ることで、竪樋４の軸中心に向かって竪樋４の内部に入り込むことができる。
【００４０】
次に、上述した雨樋構造の作用・効果について図面を用いて説明する。
上述した本実施形態による雨樋構造１では、竪樋４は、軒樋３の排水口３１の鉛直方向の下側に設けられていることにより、軒樋３と竪樋４との間に横樋やエルボを設置する必要がないため、意匠性を向上することができる。また、軒樋３と竪樋４との間の部材を少なくすることができるため、容易に施工することができる。
また、柱１３と同じ幅寸法の竪樋４が柱１３と重なるように配置されるため、竪樋４が柱１３と一体化されて意匠性を向上することができる。
更に、接続部材５は、軒樋３と竪樋４との間に着脱可能なカバー部材５２を有することにより、仮に軒樋３と竪樋４との間にゴミが詰まってしまった場合には、カバー部材５２を外せばこのゴミを容易に取り除くことができる。これにより、従来のように雨樋から突出するゴミ取り用の開口を開閉するキャップを設置しなくてもよいため意匠性を向上することができる。
【００４１】
また、接続部材５は、前枠２に固定されたベース部材５１と、ベース部材５１に着脱可能なカバー部材５２とを有する構成であるため、ベース部材５１に対してカバー部材５２を容易に着脱することができる。また、雨水がベース部材５１とカバー部材５２との間を流れ、前枠２に直接あたることがないため、竪樋４と柱１３との間に雨水が入り込むことを防止できる。
【００４２】
また、カバー部材５２に水返し部５２４が形成されていることにより、軒樋３の雨水を竪樋４へ確実にガイドすることができる。これにより、竪樋４と柱１３との間に雨水が入り込むことを防止できる。
【００４３】
また、カバー部材５２は、枠部２１の前面２１ａの下端部２１ｂ、柱１３の前面１３ａおよび竪樋４の上端部４ａに囲まれた凹部６に嵌合可能なカバー凸部５２２ｅを形成するためのカバー凸部形成部５２５が設けられていることにより、枠部２１、柱１３および竪樋４の形状によって凹部６の形状が異なる場合でも、同一のカバー部材５２を使用して凹部６の形状に合わせたカバー凸部５２２ｅを容易に形成することができる。
【００４４】
以上、本発明による雨樋構造の実施形態について説明したが、本発明は上記の実施形態に限定されるものではなく、その趣旨を逸脱しない範囲で適宜変更可能である。
例えば、上記の実施形態では、軒樋３は前枠２に一体に形成されているが、前枠２と別に形成されていてもよい。
また、上記の実施形態では、ベース部材５１が前枠２の枠部２１の前面２１ａに固定されているが、前枠２の枠部２１の前面２１ａ以外のテラス１１の部材に固定されていてもよい。また、本実施形態の雨樋構造は、テラス１１以外の構造物に設けられていてもよい。
【００４５】
また、上記の実施形態では、カバー部材５２は、前板部５２１および一対のカバー側板部５２２の下側５２２ａが鉛直面となり、上側５２２ｂが鉛直面に対して傾斜するように形成されているが、下側５２２ａおよび上側５２２ｂがともに鉛直面に対して傾斜するように形成されていてもよいし、鉛直面となるように形成されていてもよい。
また、上記の実施形態では、枠部２１の前面２１ａの下端部２１ｂ、柱１３の前面１３ａおよび竪樋４の上端部４ａに囲まれた凹部６が形成されていて、この凹部６に接続部材５のベース凸部５１５およびカバー凸部５２２ｅが挿入されるように構成されているが、凹部６が形成されておらず、接続部材５にベース凸部５１５およびカバー凸部５２２ｅが形成されていない形態としてもよい。
【００４６】
また、上記の実施形態では、カバー部材５２に所望の寸法のカバー凸部５２２ｅを形成するためのカバー凸部形成部５２５が設けられているが、カバー凸部形成部５２５が設けられておらず、カバー部材５２を工場で製作する際に所望の形状のカバー凸部５２２ｅが形成されていてもよい。
また、上記の実施形態では、カバー部材５２に水返し部５２４が設けられているが、設けられていなくてもよい。
また、ベース部材５１に対するカバー部材５２の着脱構造は、上記以外の構造であってもよい。
また、上記の実施形態では、竪樋４は、第１樋部材４１および第２樋部材４２の２部材によって角筒状に形成されているが、１つの部材で角筒状に形成されていてもよい。
また、竪樋４は、柱１３と一体に形成されていれば、角筒以外の形状であってもよい。
【符号の説明】
【００４７】
１  雨樋構造
２  前枠
３  軒樋
４  竪樋
５  接続部材
６  凹部
１１  テラス（構造物）
１３  柱
３１  排水口
４１  第１樋部材
４２  第２樋部材
５１  ベース部材
５２  カバー部材
５２２ｅ  カバー凸部（凸部）
５２４  水返し部
５２５  カバー凸部形成部（凸部形成部）
５２５ａ，５２５ｂ  切り取り線
【図１】
0006510335.tif 000002
【図２】
0006510335.tif 000003
【図３】
0006510335.tif 000004
【図４】
0006510335.tif 000005
【図５】
0006510335.tif 000006
【図６】
0006510335.tif 000007
【図７】
0006510335.tif 000008
【図８】
0006510335.tif 000009